(57)【要約】  【課題】  本発明は，表上で誤りをチェックできるカリキュラム又は成績管理コンピュータを提供することを目的とする。  【解決手段】  上記課題は，複数の教科名と，科目名である調査書科目名と，各学年及び各コースに応じて，前記調査書科目名に対応する履修単位数が入力される入力欄を有するカリキュラム表を表示できるカリキュラム管理用コンピュータであって，前記入力欄に値が入力された場合に，前記入力値があらかじめ設定した範囲の値であるかどうか判断する条件判断手段と，エラー表示手段と，を具備し，前記入力欄に誤った値が入力された場合に自動的にエラー表示を行うことができるコンピュータにより解決される。  【選択図】  図１
2008197853.tif 000002
【特許請求の範囲】
【請求項１】
複数の教科名と，前記各教科名に対応する調査書の科目名である調査書科目名と，
各学年及び各コースに応じて，前記調査書科目名に対応する履修単位数が入力される入力欄を有するカリキュラム表を表示できるカリキュラム管理用コンピュータであって，
前記入力欄に値が入力された場合に，前記入力値を読み出して，前記入力値があらかじめ設定した範囲の値であるかどうか判断する条件判断手段と，
前記条件判断手段が，前記入力値があらかじめ設定した範囲の値ではないと判断した場合に，前記入力欄にエラーを表示するためのエラー表示手段と，
を具備し，
前記入力欄に誤った値が入力された場合に自動的にエラー表示を行うことができる
コンピュータ。
【請求項２】
前記入力欄は，カリキュラム表の調査書科目名及びコースによって特定されるセルであり，
前記条件判断手段は，前記セルに割り当てられた条件付書式を用いるものであり，
前記エラー表示手段は，前記セルの文字に色をつけるか，又は前記セルの背景に色をつけることによりエラーを表示するものである
請求項１に記載のコンピュータ。
【請求項３】
各学年及び各コースについて，各調査書科目について履修しなければならない単位数を読み出し可能に記憶し，
前記各入力欄に入力され履修単位数が，前記記憶された単位数と同じか又はそれ以上であるか比較し，
前記各入力欄に入力され履修単位数が，前記記憶された単位数より小さい場合は，履修不足を示すエラーを表示する
請求項１に記載のコンピュータ。
【請求項４】
各学年及び各コースについて，中学校又は高等学校における３年間で各調査書科目について履修しなければならない単位数を読み出し可能に記憶し，
前記各入力欄に入力され履修単位数が，前記記憶された単位数と同じか又はそれ以上であるか比較し，
前記各入力欄に入力され履修単位数が，前記記憶された単位数より小さい場合は，履修不足を示すエラーを表示する
請求項１に記載のコンピュータ。
【請求項５】
前記入力欄のそれぞれに識別子を割り当て，
前記入力欄に入力されたカリキュラム表のデータを読み出すと共に，
前記カリキュラム表のデータを，前記識別子を用いて，調査書の対応する科目名，及び学年に対応する調査票の欄に表示されるようにすることにより，
自動的に調査票を作成できる請求項１に記載のコンピュータ。
【請求項６】
担当教師名，学年，クラス，学生番号，学生の氏名，試験の種類，及び前記学生の試験結果を入力する成績入力シートを表示できる成績管理用コンピュータであって，
前記試験結果を入力する入力欄に値が入力された場合に，前記入力値を読み出して，前記入力値があらかじめ設定した範囲の値であるかどうか判断する条件判断手段と，
前記条件判断手段が，前記入力値があらかじめ設定した範囲の値ではないと判断した場合に，前記入力欄にエラーを表示するためのエラー表示手段と，
を具備し，
前記入力欄に誤った値が入力された場合に自動的にエラー表示を行うことができる
コンピュータ。
【請求項７】
前記成績入力シートを複数シート具備するコンピュータであって，
担当教師名に関する情報が入力されると，前記担当教師名に関連する全ての成績入力シート読み出して，出力する請求項６に記載のコンピュータ。
【請求項８】
前記入力欄のそれぞれに識別子を割り当て，
前記入力欄に入力された成績入力シートのデータを読み出すと共に，
前記成績入力シートのデータを，前記識別子を用いて，
に対応する成績表の欄に表示されるようにすることにより，
自動的に成績表を作成できる請求項６に記載のコンピュータ。
【発明の詳細な説明】
【技術分野】
【０００１】
本発明は，条件付書式を用いて表上で誤りをチェックできるカリキュラム及び成績管理コンピュータに関する。本発明は，履修科目のチェックを行うことで，履修不足の問題を解決するカリキュラム管理コンピュータに関する。本発明は，統一されたデータベースから教師ごとのシートを容易に抽出でき，更新された情報を用いてデータベースを更新できるカリキュラム及び成績管理コンピュータに関する。本発明は，入力された履修科目情報及び成績情報を用いて，自動的に調査票を作成できるコンピュータシステムに関する。
【背景技術】
【０００２】
中学校や高等学校のカリキュラムを策定するには、文部科学省発行の高等学校学習指導要領を基にする必要がある。一方、学校側の事情により、文科省の定める科目をさらに細分化して科目数を増やす場合がある。調査書を作成するために必要になるので，この細分化した科目と本来の科目の関係を明確にする必要がある。一方，この作業は煩雑であり、ミスが生じやすい。
【０００３】
具体的には，どの教員のどの科目が，指導要領におけるどの科目に相当するか必ずしも明らかではない場合がある。また，学習指導要領は，変更されることがあるので，学年ごとに履修すべき単位が異なるという状況が生ずる。よって，履修科目を管理するためには、入学年度別に３年分の履修科目が一纏めになって管理されていることが望ましい。しかしながら，学校での科目設定や，教員の割当は年度ごとに行われるので，履修科目の誤りが生じやすい。そのため，高等学校における履修不足の問題が生ずるに至っている。一方，エクセル（登録商標）やアクセス（登録商標）といった表計算ソフトやデータベースソフトが知られているので，これらのソフトウェアを用いて履修科目を管理することができる。しかしながら，履修科目を整理するためのフォーマットがバラバラでは一元管理することができない。また，入力にエラーがあった場合であってもチェックすることができないので，履修科目の把握ミスが生ずるおそれがある。
【０００４】
たとえば，特開２００４−２３３９３７号公報には，「ＷｅｂブラウザによりＷｅｂコンテンツとしての教材内容が閲覧可能なＷｅｂサイトであって、前記教材内容が単元毎に分けて記載された複数の単元ページを備え、該単元ページの適所に、リンク先閲覧用領域が設けられ、該リンク先閲覧用領域が、その領域内でクリックされると、リンク先の単元ページをＷｅｂブラウザに表示するものであり、前記リンク先の単元ページが、当該単元ページの教材内容に関連のある教材内容が記載された単元ページであることを特徴とする学習支援システム」が，開示されている（同公報の請求項１）。
【特許文献１】特開２００４−２３３９３７
【発明の開示】
【発明が解決しようとする課題】
【０００５】
本発明は，表上で誤りをチェックできるカリキュラム又は成績管理コンピュータを提供することを目的とする。
【０００６】
本発明は，履修科目のチェックを行うことで，履修不足の問題を解決するカリキュラム管理コンピュータを提供することを目的とする。
【０００７】
本発明は，統一されたデータベースから教師ごとのシートを容易に抽出でき，教師により更新された情報を用いてデータベースを更新できる成績管理コンピュータを提供することを目的とする。
【０００８】
本発明は，入力された履修科目情報及び成績情報を用いて，自動的に調査票を作成できるコンピュータシステムを提供することを目的とする。
【課題を解決するための手段】
【０００９】
本発明の第１の側面は，複数の教科名と，前記各教科名に対応する調査書の科目名である調査書科目名と，各学年及び各コースに応じて，前記調査書科目名に対応する履修単位数が入力される入力欄を有するカリキュラム表を表示できるカリキュラム管理用コンピュータであって，前記入力欄に値が入力された場合に，前記入力値を読み出して，前記入力値があらかじめ設定した範囲の値であるかどうか判断する条件判断手段と，前記条件判断手段が，前記入力値があらかじめ設定した範囲の値ではないと判断した場合に，前記入力欄にエラーを表示するためのエラー表示手段と，を具備し，前記入力欄に誤った値が入力された場合に自動的にエラー表示を行うことができるコンピュータに関する。
【００１０】
本発明の第１の側面の好ましい態様は，前記入力欄は，カリキュラム表の調査書科目名及びコースによって特定されるセルであり，前記条件判断手段は，前記セルに割り当てられた条件付書式を用いるものであり，前記エラー表示手段は，前記セルの文字に色をつけるか，又は前記セルの背景に色をつけることによりエラーを表示するものである上記いずれかに記載のコンピュータに関する。
【００１１】
本発明の第１の側面の好ましい態様は，各学年及び各コースについて，各調査書科目について履修しなければならない単位数を読み出し可能に記憶し，前記各入力欄に入力され履修単位数が，前記記憶された単位数と同じか又はそれ以上であるか比較し，前記各入力欄に入力され履修単位数が，前記記憶された単位数より小さい場合は，履修不足を示すエラーを表示する上記いずれかに記載のコンピュータに関する。
【００１２】
本発明の第１の側面の好ましい態様は，各学年及び各コースについて，中学校又は高等学校における３年間で各調査書科目について履修しなければならない単位数を読み出し可能に記憶し，前記各入力欄に入力され履修単位数が，前記記憶された単位数と同じか又はそれ以上であるか比較し，前記各入力欄に入力され履修単位数が，前記記憶された単位数より小さい場合は，履修不足を示すエラーを表示する上記いずれかに記載のコンピュータに関する。
【００１３】
本発明の第１の側面の好ましい態様は，前記入力欄のそれぞれに識別子を割り当て，  前記入力欄に入力されたカリキュラム表のデータを読み出すと共に，前記カリキュラム表のデータを，前記識別子を用いて，調査書の対応する科目名，及び学年に対応する調査票の欄に表示されるようにすることにより，自動的に調査票を作成できる上記いずれかに記載のコンピュータに関する。
【００１４】
本発明の第２の側面は，担当教師名，学年，クラス，学生番号，学生の氏名，試験の種類，及び前記学生の試験結果を入力する成績入力シートを表示できる成績管理用コンピュータであって，前記試験結果を入力する入力欄に値が入力された場合に，前記入力値を読み出して，前記入力値があらかじめ設定した範囲の値であるかどうか判断する条件判断手段と，前記条件判断手段が，前記入力値があらかじめ設定した範囲の値ではないと判断した場合に，前記入力欄にエラーを表示するためのエラー表示手段と，を具備し，前記入力欄に誤った値が入力された場合に自動的にエラー表示を行うことができるコンピュータに関する。
【００１５】
本発明の第２の側面の好ましい態様は，前記成績入力シートを複数シート具備するコンピュータであって，担当教師名に関する情報が入力されると，前記担当教師名に関連する全ての成績入力シート読み出して，出力する上記いずれかに記載のコンピュータに関する。
【００１６】
本発明の第２の側面の好ましい態様は，前記入力欄のそれぞれに識別子を割り当て，
前記入力欄に入力された成績入力シートのデータを読み出すと共に，
前記成績入力シートのデータを，前記識別子を用いて，
に対応する成績表の欄に表示されるようにすることにより，
自動的に成績表を作成できる上記いずれかに記載のコンピュータに関する。
【発明の効果】
【００１７】
本発明のコンピュータは，各記載欄に対応した設定値を設け，記載欄に数値が入力されると共に，入力値がその設定値の範囲内かどうか判断するので，本発明によれば表上で誤りをチェックできるカリキュラム又は成績管理コンピュータを提供することができる。
【００１８】
本発明のコンピュータは，各調査書科目について履修しなければならない単位数を読み出し可能に記憶し，前記各入力欄に入力され履修単位数が，前記記憶された単位数と同じか又はそれ以上であるか比較するので，本発明によれば，履修科目のチェックを行うことで，履修不足の問題を解決するカリキュラム管理コンピュータを提供することができる。
【００１９】
本発明のコンピュータは，担当教師名により成績管理シートを読み出して出力できるので，本発明によれば，統一されたデータベースから教師ごとのシートを容易に抽出でき，教師により更新された情報を用いてデータベースを更新できる成績管理コンピュータを提供することができる。
【００２０】
本発明によれば，入力欄に対応した識別子が記憶されており，調査票にもその識別子に関連氏で入力値が表示されるようにされているので，入力された履修科目情報及び成績情報を用いて，自動的に調査票を作成できるコンピュータシステムを提供することができる。  
【発明を実施するための最良の形態】
【００２１】
本発明のカリキュラム表を表示できるカリキュラム管理用コンピュータは，複数の教科名と，前記各教科名に対応する調査書の科目名である調査書科目名と，各学年及び各コースに応じて，前記調査書科目名に対応する履修単位数が入力される入力欄を有するカリキュラム表を表示できるカリキュラム表を表示できるカリキュラム管理用コンピュータであって，前記入力欄に値が入力された場合に，前記入力値を読み出して，前記入力値があらかじめ設定した範囲の値であるかどうか判断する条件判断手段と，前記条件判断手段が，前記入力値があらかじめ設定した範囲の値ではないと判断した場合に，前記入力欄にエラーを表示するためのエラー表示手段と，を具備し，前記入力欄に誤った値が入力された場合に自動的にエラー表示を行うことができる。
【００２２】
図１は，カリキュラム表の例を示す図である。図１に示されるように，カリキュラム表は，複数の教科名と，前記各教科名に対応する調査書の科目名である調査書科目名と，各学年及び各コースに応じて，前記調査書科目名に対応する履修単位数が入力される入力欄を有する。そして，教科名として，「国語」，「地理歴史」，「公民」，「数学」などがあげられる。一方，「調査書科目名」として，「現代文」，「古典」などがあげられる。「入力欄」は，エクセル（登録商標）などのセルとして構成されていてもよい。
【００２３】
条件判断手段は，前記入力欄に値が入力された場合に，前記入力値を読み出して，前記入力値があらかじめ設定した範囲の値であるかどうか判断するための手段である。具体的には，キーボードやテンキーなどのポインティングデバイスから，セルに履修科目に関する情報が入力される。すると，入力された情報は，記憶装置に記憶されると共に，読み出される。すると，セルに情報が入力されたという情報を受取ったＣＰＵは，メインメモリに格納される制御プログラムを読み出す。そして，読み出した制御プログラムの指令を受けて，あらかじめ設定した数値範囲を記憶装置から読み出す。一方，この設定した数値範囲は，セルごとに設定され，セルの番地などの情報を用いて読み出されても良い。また，各シートに共通の数値範囲が記憶装置に記憶されており，情報が入力されるシート又は表に関する情報と共に読み出されるようにされても良い。例えば，カリキュラム表における値であれば，０以上１０以下という範囲があげられる。そして，入力された値が，読み出された設定範囲以内かどうかを，例えば比較回路を用いることで判断すればよい。そして，例えば，判断手段は，入力値が設定範囲内であれば，「１」を出力し，範囲外であれば「０」という信号を出力すればよい。
【００２４】
エラー表示手段は，前記条件判断手段が，前記入力値があらかじめ設定した範囲の値ではないと判断した場合に，前記入力欄にエラーを表示するため手段である。例えば，上記の条件判断手段から，「０」という信号が出力された場合，入力値は設定範囲外であったこととなる。すると，「０」という信号を受取ったＣＰＵは，メインメモリに格納される制御プログラムを読み出す。そして，読み出した制御プログラムの指令を受けて，表示セル中の文字の色を例えば赤に変化させる。又は，セルの背景の色を赤に変化させる。このようにして，エラー表示をして，注意を喚起する。このような構成を採用することで，前記入力欄に誤った値が入力された場合に自動的にエラー表示を行うことができる。
【００２５】
本発明の第１の側面の好ましい態様は，前記入力欄は，カリキュラム表の調査書科目名及びコースによって特定されるセルであり，前記条件判断手段は，前記セルに割り当てられた条件付書式を用いるものであり，前記エラー表示手段は，前記セルの文字に色をつけるか，又は前記セルの背景に色をつけることによりエラーを表示するものである上記いずれかに記載のコンピュータである。たとえば，エクセル（登録商標）とデータベース管理システムとを用いてカリキュラム管理を行うと，データベースへの保存前の入力エラーチェックに多くの時間がかかる。これは，入力作業とチェック作業が別だからである。すなわち，チェック作業は，入力作業とは別に指示をしなければならない。一方，条件付書式を用いれば，ある情報が入力された場合に，その入力値が所定の条件を満たすかどうか判断するので（判断するための情報はあらかじめ設定可能とされている），瞬時にチェック作業を行うことができる。また，いちいちチェック指示をしなくても，自動的にチェックがされるので，非常に使い勝手が良くなる。
【００２６】
本発明の第１の側面の好ましい態様は，各学年及び各コースについて，各調査書科目について履修しなければならない単位数を読み出し可能に記憶し，前記各入力欄に入力され履修単位数が，前記記憶された単位数と同じか又はそれ以上であるか比較し，前記各入力欄に入力され履修単位数が，前記記憶された単位数より小さい場合は，履修不足を示すエラーを表示する上記いずれかに記載のコンピュータに関する。このような比較作業は，先に説明した条件付書式により行われるものが好ましい。
【００２７】
本発明の第１の側面の好ましい態様は，各学年及び各コースについて，中学校又は高等学校における３年間で各調査書科目について履修しなければならない単位数を読み出し可能に記憶し，前記各入力欄に入力され履修単位数が，前記記憶された単位数と同じか又はそれ以上であるか比較し，前記各入力欄に入力され履修単位数が，前記記憶された単位数より小さい場合は，履修不足を示すエラーを表示する上記いずれかに記載のコンピュータに関する。
【００２８】
図２は，科目登録の例を示す図である。カリキュラムへの科目登録は，各科目に科目コードを割り当て，その他の属性を必要個数分登録することにより行われる。そして，そのような科目登録に基づき，全ての児童を一律に管理していた。例えば，1年生は，国語総合が週４単位必要等である。このようにカリキュラムは，年度別に設定される（例えば，２００８年度カリキュラム）。一方で，指導要領が修正されると，学年によって，必要な単位数が異なる場合がある。例えば，現在の1年生は，国語総合が週４単位必要等であり，現在の３年生が1年生であった頃は，国語総合が週８単位必要であったということがある。この場合，ある３年生が1年生であった頃，国語総合が週6単位しか理由しなかったとする。このような生徒であっても，現在のカリキュラムに従えば，履修基準を満たすこととなる。そこで，本発明の好ましい態様では，各学年及び各コースについて，中学校又は高等学校における３年間で各調査書科目について履修しなければならない単位数を読み出し可能に記憶し，前記各入力欄に入力され履修単位数が，前記記憶された単位数と同じか又はそれ以上であるか比較する。このようにすると，記憶しなければならない情報量は増えることとなるが，履修不足などの問題を適切に解消できることとなる。
【００２９】
図３は，カリキュラムの入力例を示す概念図である。図３に示されるように，たとえば，教科名，科目名の名称を登録しておき，適宜調整して適切な科目名のリストを作成する。教科名，科目名の名称の登録に際しては，直接入力できるようにしておいても良いし，コード情報などを用いて読み出し可能にされていても良い。そして，たとえば，入学年度，学年，及びコース（理数コースなど）に関する情報が入力された場合，その生徒に必要な履修科目情報が読み出されるようにされるものが好ましい。
【００３０】
図４は，履修チェックの例を示す概念図である。図４（Ａ）は，履修チェックを行うための画面例を示し，図４（Ｂ）は履修チェック表の例を示す。このように，入学年度，学年，及びコース（理数コースなど）に関する情報が入力された場合，その生徒に必要な履修科目情報が読み出されるようにされているので，入学年度，学年，及びコースに関する情報が入力されると，その生徒について必要な履修チェック表が読み出されることとなる。
【００３１】
本発明の第１の側面の好ましい態様は，前記入力欄のそれぞれに識別子を割り当て，前記入力欄に入力されたカリキュラム表のデータを読み出すと共に，前記カリキュラム表のデータを，前記識別子を用いて，調査書の対応する科目名，及び学年に対応する調査票の欄に表示されるようにすることにより，自動的に調査票を作成できる上記いずれかに記載のコンピュータに関する。
【００３２】
図５は，調査書を示す帳票を示す図である。図５に示されるように，調査書には，様々な事項を記入しなければならない。そして，従来は，この調査書はエクセル（登録商標）などで作成されており，学校の職員がいちいちデータを入力することにより完成していた。本発明では，カリキュラム表に履修チェックのために入力されている各種情報を用いて，自動的に調査書（調査票）を作成できる。これにより入力ミスを軽減できると共に，作業負担も軽減できる。なお，カリキュラム表が更新されると，更新された情報に関連する識別子を読み出して，その識別子に関連する調査票上のデータも自動的に更新されるようにされるものが好ましい。
【００３３】
本発明における処理を実行するため，各種処理を行うための制御プログラムをメインメモリに格納し，処理に用いられる各種情報を記憶したコンピュータを用いることが好ましい。そのようなコンピュータであれば，ある情報がポインティングでバイスなどの入力手段から入力されると，ＣＰＵは，入力情報に基づいてメインメモリから制御プログラムを読み出し，読み出された制御プログラムの指令に基づいて，メモリやデータベースなどに記憶された各種情報を適宜読み出すとともに，各種演算処理を行う。そして，演算結果は，適宜メモリに記憶された後，適宜出力されるようにすれば良い。
【００３４】
本発明の第２の側面は，担当教師名，学年，クラス，学生番号，学生の氏名，試験の種類，及び前記学生の試験結果を入力する成績入力シートを表示できる成績管理用コンピュータであって，前記試験結果を入力する入力欄に値が入力された場合に，前記入力値を読み出して，前記入力値があらかじめ設定した範囲の値であるかどうか判断する条件判断手段と，前記条件判断手段が，前記入力値があらかじめ設定した範囲の値ではないと判断した場合に，前記入力欄にエラーを表示するためのエラー表示手段と，を具備し，前記入力欄に誤った値が入力された場合に自動的にエラー表示を行うことができるコンピュータに関する。
【００３５】
この側面に係る発明も，先に説明したものと同様，情報を入力するとすぐさまエラーがあるかどうかチェックされる。具体的には，最高得点の設定値が１００点で最低点が０点の場合，入力値が０点以上か判断する比較手段と，入力値が１００点以下であるか判断する比較手段とを具備し，それらの比較結果に基づいて前記入力値があらかじめ設定した範囲の値であるかどうか判断すればよい。そして，そのような判断は，好ましくは条件付書式により行われる。
【００３６】
本発明の第２の側面の好ましい態様は，前記成績入力シートを複数シート具備するコンピュータであって，担当教師名に関する情報が入力されると，前記担当教師名に関連する全ての成績入力シート読み出して，出力する上記いずれかに記載のコンピュータに関する。この態様のコンピュータは，成績入力シートに，担当教師名に関する情報が記憶されている。そして，教師名に関する情報が入力されると，成績入力シートに関連して記憶される担当教師名の情報を用いて，入力された教師名に関連する成績入力シートを読み出すようにされていれば良い。出力形式は，画面に表示するというものでもよいし，教師名に関連したフォルダに，その教師名に関連する成績入力シートを表示可能に記憶させるものであっても良い。
【００３７】
本発明の第２の側面の好ましい態様は，前記入力欄のそれぞれに識別子を割り当て，前記入力欄に入力された成績入力シートのデータを読み出すと共に，前記成績入力シートのデータを，前記識別子を用いて，に対応する成績表の欄に表示されるようにすることにより，自動的に成績表を作成できる上記いずれかに記載のコンピュータに関する。
【００３８】
図６は，成績表の登録画面及び成績表の例を示す図である。たとえば，このコンピュータでは，全ての生徒について，学年，クラス，生徒番号，氏名，学期ごとのテスト結果が，生徒の識別番号（学生証番号等であっても良い）を識別子として関連付けて記憶されている。そして，登録画面で，列（Ｋ）について，1学期前期１学期中間テストを選択すると，成績表の列（Ｋ）の項目欄に「1学期前期１学期中間テスト」が自動的に表示される。さらに，記憶される各種データが読み出されて，成績表のなかのセルにデータが入れられて表示される。列の設定は，教員により自由に設定できるので，教員がカスタマイズした生成期表を容易に作成できることとなる。
【００３９】
本発明の第２の側面の好ましい態様は，ピボットテーブルを用いてデータの集計を行う上記いずれかに記載のコンピュータに関する。
【００４０】
なお，本明細書では，履修カリキュラムや成績管理を行うためのコンピュータについて説明した。本発明は，コンピュータを，これまで説明した履修カリキュラム管理コンピュータ又は成績管理コンピュータとして機能させるためのプログラムをも提供するものである。また，本発明は，そのようなプログラムを格納したコンピュータによって読み取り可能なＣＤ−ＲＯＭなどの情報記録媒体をも提供するものである。
【産業上の利用可能性】
【００４１】
本発明のコンピュータは，中学校，高等学校などの履修カリキュラムや成績管理を行うためのコンピュータとして利用されうるので，学校向けシステム開発などの分野で利用されうる。
【図面の簡単な説明】
【００４２】
【図１】図１は，カリキュラム表の例を示す図である。
【図２】図２は，科目登録の例を示す図である。
【図３】図３は，カリキュラムの入力例を示す概念図である。
【図４】図４は，履修チェックの例を示す概念図である。図４（Ａ）は，履修チェックを行うための画面例を示し，図４（Ｂ）は履修チェック表の例を示す。
【図５】図５は，調査書を示す帳票を示す図である。
【図６】図６は，成績表の登録画面及び成績表の例を示す図である。
【図１】
2008197853.tif 000003
【図２】
2008197853.tif 000004
【図３】
2008197853.tif 000005
【図４】
2008197853.tif 000006
【図５】
2008197853.tif 000007
【図６】
2008197853.tif 000008